(57)【特許請求の範囲】
【請求項１】
ビール出口のディスペンシングタップと結合され、且つ前記ディスペンシングタップに適合したビール供給装置であって、前記ビール供給装置は、各チューブが０．７５ｍｍ未満の内径を有する、１００本超の複数のチューブ（３０）を含み、前記複数のチューブ（３０）の各々は、４０〜７０００ｍｍの範囲の長さを有し、使用時に前記複数のチューブ（３０）を介して供給されるビールの層流を形成するように設定された、各チューブの内径対長さ比を有し、前記複数のチューブ（３０）の各々は互いに平行であることを特徴とするビール供給装置。
【請求項２】
２００本超のチューブを含む、請求項１に記載のビール供給装置。
【請求項３】
前記複数のチューブ（３０）の各々が互いに平行である、請求項１又は２に記載のビール供給装置。
【請求項４】
前記複数のチューブ（３０）の各々が非円形の断面を有する請求項１に記載の供給装置。
【請求項５】
摩擦嵌合により内側筐体（２０）の内部に収納された前記複数のチューブ（３０）を含む、請求項１〜４のいずれか１項に記載のビール供給装置。
【請求項６】
前記複数のチューブ（３０）が結合することにより前記内側筐体（２０）の内部に入れられる、請求項１〜５のいずれか１項に記載のビール供給装置。
【請求項７】
前記複数のチューブ（３０）が単一部品として組立てされる、請求項１〜６のいずれか１項に記載のビール供給装置。
【請求項８】
前記ビール供給装置が入口端及び反対側に出口端を有し、前記入口端での前記複数のチューブ（３０）の軸は、前記出口端での前記複数のチューブ（３０）の軸と実質的に平行である、請求項１〜７のいずれか１項に記載のビール供給装置。
【請求項９】
前記複数のチューブ（３０）間の実質的に全ての空間が塞がれている、請求項１〜８のいずれか１項に記載のビール供給装置。
【発明の詳細な説明】
【技術分野】
【０００１】
本発明は、概略的には、液体供給装置に関し、排他的ではないが特に、ビール供給装置として有用であることを見出した。
【背景技術】
【０００２】
グラスにビールの供給を始めるには、手作業で「オン」位置の状態に動かしたビアタップから、流速を高める圧力でタップに汲上げられた又は引寄せられたビールを供給することが知られている。しかし、供給加圧方法では、タップがオンの状態である場合は液体が撹拌され、グラスに泡が生じる。これにより、液体の正確な計量を果たす為には、供給を制御する人物が液体を過剰に注ぐことが欠かせない。ビールの泡立ちは「ＦＯＢ」（ビール上の泡）として知られている。
【発明の概要】
【０００３】
本発明の目的は、タップがオンの状態の場合、供給プロセス中にビールの供給が層状になり、供給された液体の撹拌を減少させることによって、液体のそれぞれの正確な計量の為に「ＦＯＢ」から生じる無駄を減少させることを可能にする液体供給装置を提供することである。
【０００４】
第一態様によれば、本発明は各チューブが直径２ｍｍ未満の複数のチューブを含む、液体供給装置を提供する。
【０００５】
本装置は、供給タップ又はタップのノズル、フォント、ポンプ又は他の同様の供給装置に装着させることができる。複数のチューブにより、既存の同様の液体供給器と等しい速度で、液体量を通過させることが可能となるが、液体の撹拌を回避する追加の特長を有することによって、泡立ちを減少させる又は消しさえする。これは、ビール類又はソーダ類など炭酸飲料に特に好都合である。液体がチューブに沿って層流に供給されるように、複数のチューブを配列することができ、これによって供給チューブから出て容器に入る際に液体を安定させる。
【０００６】
本明細書で使用される用語「供給する」は、あるパイプから別のパイプへ移動する（「供給」される）液体を安定させる為に使用されるように、装置が２つのパイプ間に設置された場合の状態も含む。これに関して、この２つのパイプは単一パイプでもよく、本装置はこの単一パイプの内腔内部に設置されてもよい。本装置は、パイプ又は内部にある導管によって封じることができる。導管を通る全液体流が必ず装置を通るように、パイプが導管の全内腔を占めてもよい。本装置は、層流誘導として記載することができる。
【０００７】
全ての液体への言及は、液体及び気体の少なくとも一方を含んでよい。
【０００８】
本液体供給装置は、１００本超のチューブを含むことができる。本液体供給装置は、２００本超のチューブを含むことができる。
【０００９】
各チューブは、４０〜１２０ｍｍの範囲、又は６０〜１００ｍｍの範囲、又は１００ｍｍ〜７０００ｍｍの範囲の長さを有してもよい。
【００１０】
各チューブは、１ｍｍ未満、又は０．７５ｍｍ未満、又は０．５ｍｍ未満の直径を有してもよい。
【００１１】
本液体供給装置は、ビアディスペンサの流出口に本装置を取付ける為の取付け手段を含み、ビアディスペンサの流出口と本装置との間のあらゆる液体漏れを防ぐように構成された外側筐体を更に含むことができる。
【００１２】
これは取付けの際に本装置をわずかに圧縮するように構成された、２つの取付け可能部分を含む外側筐体により、一実施形態において達成されることができる。
【００１３】
この取付け手段は、ねじ取付け又は押込み取付けであってもよい。
【００１４】
これらの取付けにより、既存のビアタップの上に着脱可能でしっかり固定した本装置の取付けが可能となる。着脱可能で固定した取付けは、洗浄又は配置目的で液体供給装置がビアタップに着脱された結果として生じる摩損及び破損を考慮し、交換可能な部品であってもよい。
【００１５】
複数のチューブは、硬質材料又は軟質材料を含んでもよい。
【００１６】
複数のチューブの内腔は、直線であり、互いに平行でもよい。複数のチューブは、まっすぐな内腔を有してもよい。複数のチューブは、例えば六角形又は多角形の非円形内腔を有してもよい。
【００１７】
複数のチューブは、摩擦嵌合により内側筐体内部に入れられてもよい。複数のチューブは、鞘状でもよい内側筐体により、互いにしっかり結合されたチューブの束と考えてもよく、チューブの束をわずかに圧縮してもよい。
【００１８】
複数のチューブは、接着剤又は超音波溶接等の手段により互いに結合されてもよい。
【００１９】
複数のチューブは、分かれたチューブ又は個々のチューブの束ではなく、初めに単一の構成要素として組立てられてもよい。
【００２０】
該装置は、入口端及び反対側に流出口端を有し、入口端での複数のチューブの軸は、流出口端での複数のチューブの軸と実質的に平行でよい。
【００２１】
複数のチューブは、使用時にチューブを通って供給される液体の層流を確立するように構成された直径比の長さを有してよい。
【００２２】
一実施形態において、複数のチューブ間のほぼ全ての間隔が塞がれたと想定される。これには、接着剤、溶接等の手段を用いてもよい。あるいは、複数のチューブ間の間隔は、チューブ自体として機能することができる。液体は、ヒトが消費できる液体であってもよい。
【００２３】
第二態様において、本発明は第一態様に係る液体供給装置を含むビアディスペンサを提供する。
【００２４】
複数のチューブは、食品用シリコーン、食品グレードプラスチック、金属又はガラスを含むことができる。可撓性チューブは、押出加工、３Ｄプリント、ＣＮＣ旋盤、射出成形又は鋳造されてもよい。
【００２５】
一実施形態において、液体供給速度の観点から本装置を実用的にする為に必要とされるチューブ数は２８６本である。これで、１パイント（５６８ｍｌ）当たり８秒〜１２秒間の業界の標準速度でビールを供給する。
【００２６】
内側筐体内部に固定されたチューブ数を増やすことによって、流速を高めることが可能である。同様にチューブ数を減らすことによって、流速を減速させることが可能である。この為、特定の流速、従って供給時間の変化を計画及び作成することが可能である。
【００２７】
この様な装置は、無駄の大幅な削減が可能となり、製品の受渡し時間を向上させることが可能である為、特に一般向けバーのビール及びその他の飲み物の供給に適用できる。
【００２８】
バーの従業員は、ビアタップの下に容器を置く又は手で持つことができ、ビアタップを開けることができる。液体は供給装置中を流れ、チューブの入口端からチューブの流出口端まで液体の流れを制御する。液体が液体供給装置から供給された結果として、注がれたビールには、上部に微細気泡の泡を有してもよい。上部の泡は、より安定していてビール上でより長持ちすることができる。本液体供給装置は、供給過程中にビールの炭酸化を減少させることができ、それにより最終的な供給品ではより高い炭酸含有量の状態にすることができる。
【００２９】
本液体供給装置は、ビアディスペンサの一部として一体形成されてもよく、すなわち好ましくは、排他的ではないが、飲み物が注がれる任意のフォント上で使用できるようにフォントとタップとの接合部分に組立てるようになっている。異なる大きさのガラス及び形状を使用してもよい。
【００３０】
好ましい一実施態様において、本液体供給装置は洗浄目的上必要に応じて取外されるようになっている。
【００３１】
本液体供給装置は、供給された際の注ぐ速度及び異なる種類の液体の空気混入などの要素に関して、実質的に制御することを可能にする。容器中へのビールの流れを制御することにより、ビールは小樽又は樽のエール状態を維持する。
【００３２】
この結果、小樽ビールの炭酸含有量が維持されることができ、従って１パイントのビールをより長く新鮮に保つことに役立っている。
【００３３】
一実施形態において、本装置は各チューブが直径２ｍｍ未満の複数のチューブを含む、導管流動体流調節器（又は調整装置）として記載されてもよい。液体供給装置に関する上記の幾つか又は全ての特徴は、この様な導管流動体流調節器（又は調整装置）にも適用することができる。
【００３４】
本発明の上記及び他の特性、特徴及び利点は、本発明の原理を例示により示している添付図面を参照して以下の詳細な説明から明らかとなる。この詳細な説明は例示目的のみであり、本発明の範囲を限定するものではない。以下の引用した参考図は、添付の図面に関する。
【図面の簡単な説明】
【００３５】
【図１】図１は、従来のビアディスペンサと本発明の供給器とを使用して、樽のＤｏｏｍｂａｒ（ＲＴＭ）ビールの匂い特性の比較を示したグラフである。
【図２】図２は、従来のビアディスペンサと本発明の供給器とを使用して、樽のＤｏｏｍｂａｒ（ＲＴＭ）ビールの味覚特性の比較を示したグラフである。
【図３】図３は、従来のビアディスペンサと本発明との供給器を使用して、小樽のＦｏｓｔｅｒｓ（ＲＴＭ）ビールの匂い特性の比較を示したグラフである。
【図４】図４は、従来のビアディスペンサと本発明の供給器とを使用して、小樽のＦｏｓｔｅｒｓ（ＲＴＭ）ビールの味覚特性の比較を示したグラフである。
【図５】図５は、従来のビアディスペンサと本発明の供給器とを使用して、Ｊｏｈｎ  Ｓｍｉｔｈｓ（ＲＴＭ）ビールの匂い特性の比較を示したグラフである。
【図６】図６は、従来のビアディスペンサと本発明の供給器とを使用して、Ｊｏｈｎ  Ｓｍｉｔｈｓ（ＲＴＭ）ビールの味覚特性の比較を示したグラフである。
【図７】図７は、本発明の一実施形態に係る装置の斜視図である。
【図８】図８は、図７の装置の断面図である。
【図９】図９は、図７の装置の断面図の一部である。
【図１０】図１０は、典型的なビール供給所の図である。
【図１１】図１１は、代替装置の部品の分解側面図である。
【図１２】図１２は、図１１の斜視図である。
【図１３】図１３は、部分的に組立てられた状態における図１１及び図１２の装置の一部の断面図である。
【発明を実施するための形態】
【００３６】
本発明はある特定の図面に関して記載されているが、本発明はこれらに限定されるものではなく、特許請求の範囲によってのみ限定される。記載された図面は、概略的なものに過ぎず非限定的なものである。各図面は本発明の全ての特徴を含めることはできない為、必ずしも本発明の一実施形態とみなされるべきではない。図面において、いくつかの要素のサイズは例証目的の為に誇張され、尺度どおりに描かれていないことがある。寸法及び相対寸法は、本発明の実際の実施化と対応していない。
【００３７】
更に、明細書及び特許請求の範囲における用語「第１の」、「第２の」、「第３の」等は類似の要素間を区別する為に用いられ、時間的、空間的、序列において又はそれ以外の方法においても、順序を表す為に必ずしも用いられるわけではない。このように使用される用語は適切な状況下では互換性があり、本明細書に記載又は図示された以外の他の順序での作用が可能であると理解されるべきである。
【００３８】
更に、明細書及び特許請求の範囲における用語「上部」、「底部」、「上」、「下」等は描写目的の為に用いられ、必ずしも相対位置を記載する為に用いられるわけではない。このように使用される用語は適切な状況下では互換性があり、本明細書に記載又は図示された以外の他の方向での作用が可能であると理解されるべきである。
【００３９】
特許請求の範囲において使用される用語「含む」は、それ以降に列挙された手段に限定されるものと解釈されるべきではなく、他の要素又はステップを除外しないことに留意されるべきである。従って、参照したように、記述された特徴、整数、ステップ又は構成要素の存在を明示していると解釈されるが、１つ又は１つ以上の他の特徴、整数、ステップ若しくは構成要素又はこれらのグループの存在若しくは追加を除外するものではない。従って、「手段Ａ及びＢを含む装置」という表現の範囲は、構成要素Ａ及びＢのみから構成される装置に限定されるべきではない。これは本発明に関しては、単に装置に関連する構成要素がＡ及びＢであることを意味する。
【００４０】
本明細書全体にわたる「ある実施形態」又は「ある態様」に対する参照は、その実施形態又は態様に関連して記載された特定の特徴、構造又は特性が本発明の少なくとも１つの実施形態又は態様に含まれることを意味する。従って、本明細書全体にわたる様々な箇所における「一実施形態において」、「ある実施形態において」又は「ある態様において」という語句の出現は必ずしも全てが同一の実施形態又は態様を参照しているとは限らないが、異なる実施形態又は態様を参照してもよい。更に、本発明の任意の実施形態又は態様の特定の特徴、構造又は特性は本開示から当業者にとっては明らかであるように、１つ又は１つ以上の実施形態又は態様において任意の好適な方法で組合せてよい。
【００４１】
同様に、本明細書において、本開示を合理化すること及び１つ又は１つ以上の様々な発明の態様の理解を補助することを目的として、本発明の様々な特徴は単一の実施形態、図面又はそれらの説明に時々グループ分けされることは理解されよう。しかし、この開示の方法は特許請求された発明が各請求項に明示的に列挙されるよりも多くの特徴を必要とする、という意図を反映していると解釈されるべきではない。更に、任意の個別の図面又は態様の説明は必ずしも本発明の１つの実施形態とみなされるべきではない。むしろ、以下の特許請求の範囲が反映するように発明の態様は前述の開示された単一の実施形態の全ての特徴よりも少ない特徴に存在する。従って、詳細な説明に続く特許請求の範囲は本明細書の詳細な説明に明示的に組込まれ、各請求項は本発明の別個の実施形態として独立している。
【００４２】
更に、本明細書に記載されているいくつかの実施形態は、他の実施形態に含まれるいくつかの特徴を含むと同時に、異なる実施形態の特徴の組合せは本発明の範囲内であることが意図され、当業者には理解されるように、更なる実施形態を形成する。例えば、以下の特許請求の範囲において、請求される実施形態のうちのいずれも任意の組合せで用いることができる。
【００４３】
本明細書に提供された説明には、多数の特定の詳細が記載されている。しかし、本発明の実施形態はこれらの特定の詳細なしに実施され得ることが理解される。他の場合において、本明細書の理解を分かりにくくしない為に周知の方法、構造及び技術は詳細には示されていない。
【００４４】
本発明の考察において異なる記載のない限り、パラメータの許容範囲の上限又は下限の代替値の開示は、前記の一方の値はもう一方の値よりも更に非常に好ましいことを示していることに加えて、前記パラメータの各中間値が前記代替値のより好ましい値とより好ましくない値との間に存在し、それ自体が前記のより好ましくない値より好ましく、また前記のより好ましくない値と前記中間値との間に存在する各値よりも好ましいという暗示的表現と解釈される。
【００４５】
用語「少なくとも１つの」の使用は、特定の状況において１つのみを意味してよい。
【００４６】
本発明の原理を、本発明の例示的特徴に関する少なくとも１つの図面の詳細な説明により説明する。本発明の主旨又は技術的教示から逸脱することなく、当業者の知識に従って他の仕組みが構成され得ることは明白であり、本発明は添付の特許請求の範囲の用語によってのみ制限される。
【００４７】
図１〜図６は、以下に示すようにビール研究所により実施された感覚性の味覚／匂い試験に関する。
【００４８】
樽のＤｏｏｍｂａｒ（ＲＴＭ）ビール、小樽のＦｏｓｔｅｒｓ（ＲＴＭ）ビール、Ｊｏｈｎ  Ｓｍｉｔｈｓ（ＲＴＭ）ビールが評価の為に提供された。
【００４９】
分析前に全てのビールは１０〜１２℃で保存され、それぞれの方式に従って供給された。Ｃａｍｐｄｅｎ  ＢＲＩの専門フレーバー審査員団が、各ビールを２回、別々の時機に味見した。ビールは黒いグラスに入れられ、無記名で３桁のコードが付き、ランダムブロックデザインを使用して順不同で提供された。製品は規定の用語を使用して分析され、０〜９段階、０＝無い、９＝強い、で評価された。データは、Ｃｏｍｐｕｓｅｎｓｅ  Ｆｉｖｅソフトウェアシステムを使用して取込まれた。
【００５０】
選択された特性用語に従って、適切に記載されていないが知覚されたあらゆるフレーバーは、一般的な用語「その他」の項目下に記録された。テイスターは該当するノートの個々の性質についてコメントすることでフレーバーの説明をより詳細に論じることも奨励された。質に関する（スパイダーグラフの形による数値）フレーバー特性及び質に関するフレーバー特性（主なフレーバーのノート）を提供し、銘柄が評価された。
【００５１】
結果は、対照用ビール及び試験用ビールの匂い特性及び味覚特性の比較として提示された。
【００５２】
図面から、本発明の装置により供給された試験用ビールの匂い特性及び味覚特性は、従来の方法により供給された対照用ビールと比較して大きく変化していないことは明白である。
【００５３】
新しい装置を使用した結果は、標準的に供給された樽のエール製品と比較して、樽のエ−ルの空気混入を制御し減少させることが可能であることにより、樽のエ−ルにおいて「コク」及び「後味」が向上した。
【００５４】
図７において、本装置は内側筐体２０を保持する外側筐体４０を含み、１０と表示されている。内側筐体２０は、複数のチューブ３０を内部に含む円筒形チューブである。外側筐体４０はチューブ３０と反対側の軸端に、既存のフォントへの取付け手段（図示せず）を有する実質的に円筒形の本体を含む。
【００５５】
断面図が、図８に示されている。内側筐体２０は左端で外側筐体４０の内側に伸張し、右端で外側筐体から外側に伸張していることがわかる。左端は外側筐体の左軸端まで伸張しているわけではなく、手前で止まっている。左端は外側筐体４０の左軸端に配置された開口部７０に接している。漏れ防止になるように、内側筐体２０の端と開口部７０を囲む壁との間に封８５が配置されている。
【００５６】
Ｏリング８０は、押込み接続として開口部７０に差込み部が挿入された場合、フォントの差込み部に対して密封するように開口部７０の内側の周りに設けられている。一実施形態において、フォント上へのねじ取付け接続の為に、Ｏリング９０はねじ山と取換えられてもよい。
【００５７】
開口部７０を含む外側筐体４０の左軸端並びにＯリング８０及びねじ山の少なくとも一方は外側筐体４０の端に付け、ねじ７５を用いて所定位置で保持されることができる、取換え可能な取付けでもよい。
【００５８】
外側筐体４０は、２つの部分５０、６０を含む。左部分６０は左軸端、開口部及び密封手段８０、８５を含む。右部分５０は内側筐体２０上に嵌合され、左部分上にスナップ嵌合されたより小規模な部分を含む。２つの部分５０と６０の連結部４５はスナップビーズ、係止リング、ねじを含んでもよく、又はこの２つの部分は（場合により超音波溶接を用いて）溶接されていてもよい。
【００５９】
フォントと装置との間の接続は押込み又はねじ込みのどちらかで説明されているが、係止リング、クリック嵌合及び回転嵌合の使用など他の接続型が考えられる。
【００６０】
図９において、外側筐体４０の内側に突出する内側筐体２０の内側に多数のチューブ３０を見ることができる別の断面図が示されている。フォントと接続する為の開口部７０が、図の右端に示されている。
【００６１】
図１０において、従来のタップ１５０を含む典型的なビアディスペンサ具／所が１００に示されている。供給装置１１０は、器具１００の流出口の差込み部に取付けられている。装置１１０は、流出口の差込み部に押込まれた外側筐体１４０及び非常に小さい多数のチューブを含む内側筐体１２０を含む。
【００６２】
代替装置２１０が図１１〜図１３に示されている。図１１において、装置２１０は５つの主要部品を含むことが示されている。右端から始まり、複数の非常に小さい直径のチューブ２３０が内部に詰まった円筒形の筒胴部を含む内側筐体２２０が示されている。内側筐体は、およそ１０ｃｍの長さを有していてもよい。内部のチューブ２３０は、右端から反対側の内側筐体２２０の左端にほぼ至るまで伸張している。
【００６３】
内側筐体２２０に隣接して、八角形の本体を含む外側筐体２６０が示されている。下記に更に詳細に説明するように、外側筐体２６０は内側筐体２２０を受ける為に貫通して伸張している内腔２６１を有する。外側筐体は、およそ４０〜５０ｍｍの直径を有してもよい。
【００６４】
外側筐体２６０に隣接するのは、内側筐体２２０の端とのかみ合いの為に片側に差込み部２５２を含む係止リング２５０である。内腔２５１は２５１を通じて提供されている。
【００６５】
最後に、係止リング２５０に取付けることができる側の反対側から軸方向に離れて突出する差込み部２７５を用いて装置２１０とフォントの流出口の接続を可能にする為、接続部材２５５が左遠端に提供されている。差込み部２７５はフォントの流出口に押付けられてもよい内腔２７５を含み、又はそこに取付け用のねじ山を含んでもよい。
【００６６】
Ｏリング２９０は、係止リング２５０と接続部材２５５との間の漏れを防ぐ為にそれらの間に提供されている。
【００６７】
図１２において、装置２１０の特徴が異なる観点から示されている。内部にチューブ２３０の星型配列を示す、内側筐体２２０の端を見ることができる。星形は描写のみであり、実際には内側筐体２２０の内腔は非常に小さいチューブで満ちている。
【００６８】
ドリップ溝２６６が、外側筐体２６０の流出口端に示されている。この地点で液体を捕らえ垂れ落とすことにより、外側筐体２６０の外側に流れ落ちるあらゆる液体が内側筐体２２０の外側表面に到達することを回避するように機能する。ドリップ溝２６６は、外側筐体２６０の外側表面及び貫通する内腔２６１から放射状に間隔をおいて設けられている。
【００６９】
係止リング２５０との関連で、差込み部２５２の周囲に放射状に配列された孔２５４が示されている。これらの孔により、係止リングを外側筐体２６０の端にねじで留めることが可能となる。
【００７０】
接続部材２５５は係止リング２５０をねじで留めることを可能にする為、内腔２７０の周囲に放射状に配列された孔２５６も含む。これにより、摩損した場合は接続部材２５５の取替えが可能になる。
【００７１】
内側筐体２２０、外側筐体２６０及び係止リングの部分断面図が図１３に示されている。内側筐体２２０は、内側に非常に小さい複数のチューブ２３０を含むことが示されている。係止リング２５０に最も近い内側筐体２２０の軸端２２２は、チューブ２３０の端を超えて伸張している。軸端２２２は係止リング２５０の差込み部２５２に押付けられていることが示されている。差込み部２５２は、差込み部の遠位軸端から近位端まで放射状に外側に向かって広がる（組立てられた状態において、遠位は接続部材２５５から最も遠位になる）。従って、内側筐体２２０の軸端２２２は外側向きにならざるをえない。これにより、内側筐体２２２と差込み部２５２との間に安定した封を提供する。
【００７２】
内側筐体２２０は、外側筐体２６０の内部でその間を圧縮又はぴったりと嵌合することによりしっかりと保持される。
【００７３】
係止リング２５５を外側筐体２６０へ取付ける為の係止リング２５０におけるねじを受ける為の孔２５４（図示せず）は、ねじを受ける外側筐体２６０内部の孔２４４と共に見ることができる。
【００７４】
係止リング２５０の軸端上（接続部材２５５の近位）の環状溝２９２は、Ｏリング２９０の受ける為に提供されている。
【００７５】
ドリップ溝２６６は、反対側の軸端上に示されている。
【００７６】
装置２１０は内側筐体２２０の両端が外側筐体２６０の両側に突出するように、内側筐体２２０を外側筐体２６０の内腔２６１に押込むことにより組立てられる。
【００７７】
次いで、係止リング２５０は内側のチューブ２３０の端を超えて伸張する内側筐体２２０の端に押付けられ、差込み部２５２が入りその端２２２を変形させる。次に、組合せた係止リング２５０及び内側筐体２２０は係止リング２５０が外側筐体２６０の軸端と接触するまで軸方向に押される。次に、この２つが互いにねじ留めされる。Ｏリング２９０は外側筐体２６０の軸端上の環状溝２９２に置かれ、次に接続部材はＯリング２９０を挟持する外側筐体の軸端上に接続される。他の手段も考えられるが、この２つを接続する為にねじが使用される。
【００７８】
図１０に示した方法と同様に、差込み部２７５は組立てられた装置２１０の近位端で、装置をビールのフォントに接続する為に使用されてもよい。あるいは、フォント又は他の同様の流出口に押込み手段により接続する為、比較的短い長さのパイプが差込み部２７５に接続されてもよい。
【００７９】
導管内部で使用される場合、つば、ビーズ、クランプ等など導管内部の装置を保持する為に他の機構が提供されてもよいが、内側筐体２２０以外は全て省かれてもよい。２つの導管又はパイプの接続部で使用される場合、導管／パイプと接続する為に装置は両端に接続機構を含んでもよい。
【図１】
0006627154.tif 000002
【図２】
0006627154.tif 000003
【図３】
0006627154.tif 000004
【図４】
0006627154.tif 000005
【図５】
0006627154.tif 000006
【図６】
0006627154.tif 000007
【図７】
0006627154.tif 000008
【図８】
0006627154.tif 000009
【図９】
0006627154.tif 000010
【図１０】
0006627154.tif 000011
【図１１】
0006627154.tif 000012
【図１２】
0006627154.tif 000013
【図１３】
0006627154.tif 000014